(57)【特許請求の範囲】
【請求項１】
円環状の外縁部と、該外縁部の内縁に接続するすり鉢状の斜面部と、該斜面部の底部に設け、複数の排水孔を有する椀状の凹状底部とから成るヘアキャッチャーであって、
前記斜面部には、水流が渦巻いて流れるように生成する複数の渦流生成凸部を配置し、該渦流生成凸部は外側に膨らむように緩やかに湾曲する外面部と、内側に位置する内面部と、前記外面部と前記内面部とを曲線により連続し、前記外縁部の高さよりも高い場所に位置する頂辺部とを有することを特徴とするヘアキャッチャー。
【請求項２】
前記内面部は凹むように緩やかに湾曲させたことを特徴とする請求項１に記載のヘアキャッチャー。
【請求項３】
前記頂辺部は外側から内側に進むにつれて徐々に高さが増す曲線状としたことを特徴とする請求項１又は２に記載のヘアキャッチャー。
【請求項４】
前記渦流生成凸部は少なくとも３個あり、互いに等間隔に配置したことを特徴とする請求項１〜３の何れか１項に記載のヘアキャッチャー。
【請求項５】
前記渦流生成凸部の上部に複数個の排水孔を設けたことを特徴とする請求項１〜４の何れか１項に記載のヘアキャッチャー。
【請求項６】
前記斜面部には、前記凹状底部の排水孔よりも径が小さい複数個の排水孔を設けたことを特徴とする請求項１〜５の何れか１項に記載のヘアキャッチャー。
【請求項７】
前記斜面部には、異なる径の大きさを有する排水孔群を設けたことを特徴とする請求項１〜５の何れか１項に記載のヘアキャッチャー。
【発明の詳細な説明】
【技術分野】
【０００１】
本発明は、例えば浴室の排水口に設置し、水流を利用して毛髪等のごみを集めることができるヘアキャッチャーに関するものである。
【背景技術】
【０００２】
特許文献１には、図６に示すようにフランジ部１に、壁状に立ち上った整流板２と、すり鉢状の流入斜面３とを設け、保水部４内に整流板２により渦巻き水流を発生させるヘアキャッチャーが開示されている。
【０００３】
保水部４内に渦巻き水流を発生させることで、毛髪等のごみが保水部４の中心部に集まる。このように、集まって絡み合うことにより、ヘアキャッチャーから毛髪等のごみを除去する際に、このヘアキャッチャーを裏返すことで、簡便に繭玉状のなった毛髪等のごみをヘアキャッチャーから落下させることができる。
【先行技術文献】
【特許文献】
【０００４】
【特許文献１】特開２０１２−１０７４８３２号公報
【発明の概要】
【発明が解決しようとする課題】
【０００５】
しかし、特許文献１のヘアキャッチャーは、排水が流れ込む際に、多くの排水が一旦、整流板２に突き当たった後に流入斜面３に流れ込む構造となっている。そのため、整流板２内に突き当たった排水は、流速が減速され、更には渦流を生成すべき整流板２の数も少ないこともあって、渦流が十分に発生しないという問題がある。
【０００６】
また、長い毛髪が流入斜面３に流入する際に、整流板２のＵ字状部５に毛髪が引っ掛かることがある。このような場合は水流の勢いに関係なく、毛髪が整流板２に引っ掛かり続けるため、引っ掛かった毛髪を指で摘み出すなどして取り除かなければならない問題がある。
【０００７】
更には、特許文献１のヘアキャッチャーは、シャワーを浴びている最中等に足裏で整流板２を踏んでしまうことがあり、このような場合に整流板２が破損したり、足を怪我してしまうこともある。
【０００８】
本発明の目的は、上述の課題を解消し、渦流を発生し易くすると共に、誤って踏み付けたとしても怪我をすることのなく、また本体が破損したりすることのないヘアキャッチャーを提供することにある。
【課題を解決するための手段】
【０００９】
上記目的を達成するための本発明に係るヘアキャッチャーは、円環状の外縁部と、該外縁部の内縁に接続するすり鉢状の斜面部と、該斜面部の底部に設け、複数の排水孔を有する椀状の凹状底部とから成るヘアキャッチャーであって、前記斜面部には、水流が渦巻いて流れるように生成する複数の渦流生成凸部を配置し、該渦流生成凸部は外側に膨らむように緩やかに湾曲する外面部と、内側に位置する内面部と、前記外面部と前記内面部とを曲線により連続し、前記外縁部の高さよりも高い場所に位置する頂辺部とを有することを特徴とする。
【発明の効果】
【００１０】
本発明に係るヘアキャッチャーによれば、円弧状の外面部を有する複数の渦流生成凸部を設けることにより、排水がこれらの渦流生成凸部に沿って斜面部及び凹状底部に流れ込むので、少ない水量であっても強い渦流が発生する。毛髪等から成るごみは、発生した渦流によって凹状底部内に纏まって絡み合い、繭玉状になるので、簡便に除去することができる。
【００１１】
また、渦流生成凸部はエッジを持たない山形状であるため、このヘアキャッチャーを足裏で踏み付けても損傷することもなく、かつ怪我をすることはない。
【図面の簡単な説明】
【００１２】
【図１】実施例１のヘアキャッチャーの斜視図である。
【図２】ヘアキャッチャーを裏返した状態の斜視図である。
【図３】排水がヘアキャッチャーに流れ込む状態の説明図である。
【図４】実施例２のヘアキャッチャーの斜視図である。
【図５】実施例２のヘアキャッチャーに排水が流れ込む状態の説明図である。
【図６】従来例のヘアキャッチャーの平面図である。
【発明を実施するための形態】
【００１３】
本発明を図示の実施例に基づいて詳細に説明する。
【実施例１】
【００１４】
図１は実施例１のヘアキャッチャーの斜視図、図２は裏面から見た斜視図である。このヘアキャッチャー１０は合成樹脂製、或いは剛性を有する合成ゴム製等から成り、例えば直径約１５ｃｍ、高さ約４ｃｍであるが、風呂場等の排水口の大きさに応じて適宜のサイズを用意し使用することができる。
【００１５】
ヘアキャッチャー１０は、円環状の２段の外縁部２０と、この外縁部２０の内縁に接続するすり鉢状の斜面部３０と、この斜面部３０の底部に設けた凹状底部４０と、内側の外縁部２０、斜面部３０の表面に配置した複数の渦流生成凸部５０とから成っている。
【００１６】
外縁部２０の外縁には複数の切欠部２１が設けられており、複数の形状、種類がある排水口の目皿の受部に応じて、何れかの切欠部２１が嵌合するように形成されている。
【００１７】
すり鉢状の斜面部３０には、直径１ｍｍ程度の多数個の小排水孔３１が穿設されている。これらの小排水孔３１は、凹状底部４０がごみＤで塞がり、凹状底部４０内の排水Ｗがオーバーフローした際に排水Ｗを流出させるためのものである。
【００１８】
凹状底部４０は底面部４１を有する椀状の形状とされ、底面部４１に直径約２ｍｍ程度の複数個の大排水孔４２が所定の密度で穿設されている。また、凹状底部４０の弧状側面には直径約１．５ｍｍの複数個の中排水孔４３が設けられている。
【００１９】
これらの大排水孔４２、中排水孔４３は、凹状底部４０に到達した排水Ｗを凹状底部４０から排出させるためのものであり、毛髪等のごみＤは通り抜けることができない。孔径が小さ過ぎると水はけが悪くなり、大き過ぎるとごみＤが通過してしまうため、適宜の径の大きさの孔群を凹状底部４０及び凹状底部４０の弧状側面に穿設することが好ましい。
【００２０】
渦流生成凸部５０は斜面部３０上に凸片状に盛り上るように長く形成され、水流が渦巻くべき方向に沿って互いに等間隔に配置されている。渦流を効率良く生成するためには、渦流生成凸部５０は３個以上が好適であり、本実施例では４個の渦流生成凸部５０が設けられている。なお、渦流生成凸部５０は軽量化、材料費削減のために、裏面は中抜き形状とされている。
【００２１】
渦流生成凸部５０は、外側に緩やかに円弧状に湾曲する外面部５１と、内側に位置し、同様に緩やかに凹むように湾曲すると共に略鉛直方向に壁状に立ち上る内面部５２と、外面部５１と内面部５２とを接続する滑らかな曲面を有する頂辺部５３と、凹状底部４０との外縁である境界部から連続して略鉛直方向に壁状に立ち上がる内周面部５４とから成っている。
【００２２】
この渦流生成凸部５０は鋭いエッジを有することなく、稜線等は丸みを帯びている。なお、渦流は流速が大きな外面部５１を沿うように流れ込む排水Ｗにより主に生成されるので、内面部５２は特に湾曲させる必要はない。
【００２３】
また、外面部５１は頂辺部５３に向けて緩やかに膨らんでおり、頂辺部５３は外縁部２０から内側に向けて緩やかに高くなるように、つまり外縁部２０から内周面部５４に進むにつれて徐々に曲線状に高さを増すようにされている。
【００２４】
図３は排水Ｗがヘアキャッチャー１０に流れ込む状態の説明図である。本実施例のヘアキャッチャー１０を使用する際には、先ず既存の目皿等をヘアキャッチャー１０に交換し、排水口上に設置する。その後に、シャワー等により洗髪を行うと、大量の排水Ｗがヘアキャッチャー１０に流れ込む。
【００２５】
渦流生成凸部５０の円弧状の外面部５１に沿って流れる排水Ｗは、外面部５１と内面部５２間の斜面部３０を矢印に示すように曲線状に流れ込む。そして、４個所から流れ込んだこれらの排水Ｗの水流は、凹状底部４０に達し合流し、凹状底部４０の中で反時計回りの強い渦流となる。
【００２６】
凹状底部４０内を渦流として回転する排水Ｗは、排水Ｗと共に流される毛髪等のごみＤが中央に集まり、ごみＤ以外の排水Ｗは主に大排水孔４２から流出する。
【００２７】
このようにヘアキャッチャー１０に流れ込む排水Ｗが渦流生成凸部５０により渦流とされて、渦巻き状に回転することにより、その中心にごみＤの塊が形成される。このとき、ごみＤに毛髪が含まれることで、毛髪同士が絡み合って繭玉状の塊となる。
【００２８】
また、ヘアキャッチャー１０に流れ込む排水Ｗは、渦流生成凸部５０の外面部５１側と内面部５２側とで流速が異なり、外面部５１側を流れる排水Ｗの方が内面部５２側を流れる排水Ｗより流速が速い。よって、長い毛髪が渦流生成凸部５０の先端部に当接すると流速が速い外面部５１側へ流れようとする。
【００２９】
更に、渦流生成凸部５０の湾曲した滑らかな表面には毛髪が引っ掛かる個所が存在しないため、長い毛髪は頂辺部５３を跨ぎながら自然と外面部５１側へ移動し、斜面部３０を通って凹状底部４０内に流れ込む。
【実施例２】
【００３０】
図４は実施例２のヘアキャッチャー６０の斜視図であり、図５は排水が実施例２のヘアキャッチャー６０に流れ込む状態の説明図である。
【００３１】
実施例２のヘアキャッチャー６０と実施例１のヘアキャッチャー１０との違いは、渦流生成凸部５０の外面部５１の上部に複数個の排水孔である頂孔部５５を設けていることと、斜面部３０に穿設された複数の孔部が小排水孔３１と大排水孔３２とから成ることである。
【００３２】
実施例１のヘアキャッチャー１０は比較的排水量が少ない排水口に対して設置し、実施例２のヘアキャッチャー６０は比較的排水量が多く、排水量が一時的に大量になることがある排水口に設置することが好ましい。
【００３３】
一時的に大量の排水Ｗがヘアキャッチャー６０に流れ込んだ状態で凹状底部４０にごみＤが残っていると、凹状底部４０から排水Ｗが溢れてしまい、更に排水Ｗがヘアキャッチャー６０に流入が続くと、渦流生成凸部５０全体を覆う程度まで排水Ｗの水嵩が増す。
【００３４】
このように渦流生成凸部５０全体を覆うところまで排水Ｗの水嵩が増した場合は、頂孔部５５に排水Ｗが流れ込むことで、排水速度を上げることができる。なお、頂孔部５５の径の大きさは底面部４１の大排水孔４２と同程度が好ましい。
【００３５】
また、頂孔部５５は通常の排水時には渦流生成凸部５０の側面を流れる排水Ｗが達しない高さ以上の個所に穿設される。
【００３６】
大量の排水Ｗがヘアキャッチャー６０に流れ込む際は、図５の矢印に示すように、外面部５１と内面部５２間の斜面部３０全域に排水Ｗが流れ込む。通常の量の排水Ｗであれば、図３の矢印に示すように外面部５１に沿うように排水Ｗが凹状底部４０に流れ落ちるが、排水量が多くなると排水Ｗの幅は外面部５１から対向する内面部５２の方へ広がってゆく。図５の矢印のように斜面部３０全域に排水Ｗが流れ始めると、凹状底部４０内の排水Wはオーバーフローを起こし易くなる。
【００３７】
そこで、対向する内面部５２近傍である排水Wの外側に、内側の小排水孔３１より径の大きい大排水孔３２を設けることで排水Ｗが大量の際に水はけを良くすることが可能である。この大排水孔３２からの排水Ｗの流下でも、排水が追いつかない場合に、前述の頂孔部５５から排水Ｗが流下することになる。
【００３８】
通常の使用であれば、ヘアキャッチャー１０、６０は２、３週間程度で凹状底部４０内にごみＤの塊が形成され、定期的にこの塊を摘み出したり、ヘアキャッチャー１０、６０を裏返したりして除去する。ごみＤは繭玉状であるため、簡単に摘むことが可能であり、又はヘアキャッチャー１０、６０を裏返す際に引っ掛かることなくごみＤを容易に除去することができる。
【００３９】
なお、渦流生成凸部５０は丸みを帯びて形成され、特に頂辺部５３の端部である頂部５６は滑らかに丸められているので、誤ってヘアキャッチャー１０、６０を足で踏んでも怪我をすることはない。
【符号の説明】
【００４０】
１０、６０  ヘアキャッチャー
２０  外縁部
３０  斜面部
３１、３２、４２、４３  排水孔
４０  凹状底部
５０  渦流生成凸部
５１  外面部
５２  内面部
５３  頂辺部
５５  頂孔部
【図１】
0006466118.tif 000002
【図２】
0006466118.tif 000003
【図３】
0006466118.tif 000004
【図４】
0006466118.tif 000005
【図５】
0006466118.tif 000006
【図６】
0006466118.tif 000007